(57)【特許請求の範囲】
【請求項１】
液体を貯留するための容器本体と、該容器本体に貯留された液体を吸い上げて揮散させる揮散体と、該揮散体を容器本体に装着するための揮散体装着用中蓋と、容器本体を覆うカバーとを備えた液体揮散具において、前記揮散体装着用中蓋に、容器本体の口部を密封する封緘材の上方で、揮散体の浸漬部を折り畳んで収容する揮散体収納空間を設け、液体揮散具の使用時に、封緘材を取り外し、揮散体収納空間に収容するようにしていた揮散体の浸漬部を伸ばして容器本体に貯留された液体に浸漬するようにしたことを特徴とする液体揮散具。
【請求項２】
揮散体の浸漬部を折り畳んで収容した交換用揮散体装着用中蓋の揮散体の浸漬部を伸ばして容器本体に取り付けるようにしたことを特徴とする請求項１記載の液体揮散具。
【請求項３】
揮散体装着用中蓋を、容器本体への第１取付部と、該第１取付部に着脱可能な第２取付部を備えた揮散体装着部とで構成したことを特徴とする請求項１記載の液体揮散具。
【請求項４】
揮散体装着用中蓋の揮散体装着部を、前記第２取付部と、該第２取付部にヒンジ部を介して開口可能に設けられ、揮散体の浸漬部と一体の揮散体の揮散部を保持する蓋部とで構成し、前記第２取付部を水平に区画する区画壁を形成し、該区画壁の上に、揮散体の浸漬部と揮散部とを接続する接続部に接するように第２揮散体を配設するとともに、区画壁の下に液体揮散具の使用時に容器本体に貯留された液体に浸漬される揮散体の浸漬部を折り畳んで収容するようにしたことを特徴とする請求項３記載の液体揮散具。
【請求項５】
揮散体の浸漬部を折り畳んで収容した交換用揮散体装着部の揮散体の浸漬部を伸ばして第１取付部を介して容器本体に取り付けるようにしたことを特徴とする請求項３又は４記載の液体揮散具。
【発明の詳細な説明】
【技術分野】
【０００１】
本発明は、液体揮散具に関し、特に、液体揮散具の容器本体に貯留された液体を吸い上げて揮散させる揮散体が液体に浸漬されていない状態で販売される方式の液体揮散具において、コンパクトな形状で、かつ、ユーザーが揮散体の取り扱いを容易に行うことができる液体揮散具に関するものである。
【背景技術】
【０００２】
従来、芳香剤や消臭剤等の拡散性の液体（以下、単に「液体」という。）を揮散させるために用いられる液体揮散具として、液体を貯留するための容器本体と、容器本体に貯留された液体を吸い上げて揮散させる揮散体と、揮散体を容器本体に装着するための揮散体装着用中蓋と、容器本体を覆うカバーとを備えたものが提案され、実用に供されている（例えば、特許文献１〜３参照）。
【先行技術文献】
【特許文献】
【０００３】
【特許文献１】実公平７−１３７１８号公報
【特許文献２】特開平９−２４８３３０号公報
【特許文献３】特開２００３−１０２８２５号公報
【発明の概要】
【発明が解決しようとする課題】
【０００４】
ところで、上記従来の液体揮散具は、液体揮散具の容器本体に貯留された液体を吸い上げて揮散させる揮散体が、液体に浸漬された状態で販売される方式のものと、揮散体が液体に浸漬されていない状態で販売され、ユーザーが揮散体を液体に浸漬して使用する方式のものがある。
【０００５】
このうち、前者の液体に浸漬された状態で販売される方式のものは、保管中に液体揮散具の容器本体に貯留された液体が揮散体を通して蒸散されたり、揮散体に目詰まりが生じやすく、長期間の保存に適さないという問題があった。
【０００６】
一方、揮散体が液体に浸漬されていない状態で販売される方式のものは、長期間の保存に適する反面、揮散体が嵩張り、包装や流通のコストが増大するとともに、使用時にユーザーが揮散体を液体に浸漬するのに手数を要するという問題があった。
【０００７】
本発明は、上記従来の液体揮散具の有する問題点に鑑み、液体揮散具の容器本体に貯留された液体を吸い上げて揮散させる揮散体が液体に浸漬されていない状態で販売される方式の液体揮散具において、コンパクトな形状で、かつ、ユーザーが揮散体の取り扱いを容易に行うことができる液体揮散具を提供することを第１の目的とする。
【０００８】
また、本発明は、容器本体に貯留された液体が揮散した使用済の容器本体及びカバーの再使用が可能となり、資源のリユースに寄与することができる液体揮散具を提供することを第２の目的とする。
【課題を解決するための手段】
【０００９】
上記目的を達成するため、本発明の液体揮散具は、液体を貯留するための容器本体と、該容器本体に貯留された液体を吸い上げて揮散させる揮散体と、該揮散体を容器本体に装着するための揮散体装着用中蓋と、容器本体を覆うカバーとを備えた液体揮散具において、前記揮散体装着用中蓋に、容器本体の口部を密封する封緘材の上方で、揮散体の浸漬部を折り畳んで収容する揮散体収納空間を設け、液体揮散具の使用時に、封緘材を取り外し、揮散体収納空間に収容するようにしていた揮散体の浸漬部を伸ばして容器本体に貯留された液体に浸漬するようにしたことを特徴とする。
【００１０】
この場合において、揮散体の浸漬部を折り畳んで収容した交換用揮散体装着用中蓋の揮散体の浸漬部を伸ばして容器本体に取り付けるようにすることができる。
【００１１】
また、揮散体装着用中蓋を、容器本体への第１取付部と、該第１取付部に着脱可能な第２取付部を備えた揮散体装着部とで構成することができる。
【００１２】
また、揮散体装着用中蓋の揮散体装着部を、前記第２取付部と、該第２取付部にヒンジ部を介して開口可能に設けられ、揮散体の浸漬部と一体の揮散体の揮散部を保持する蓋部とで構成し、前記第２取付部を水平に区画する区画壁を形成し、該区画壁の上に、揮散体の浸漬部と揮散部とを接続する接続部に接するように第２揮散体を配設するとともに、区画壁の下に液体揮散具の使用時に容器本体に貯留された液体に浸漬される揮散体の浸漬部を折り畳んで収容するようにすることができる。
【００１３】
また、揮散体の浸漬部を折り畳んで収容した交換用揮散体装着部の揮散体の浸漬部を伸ばして第１取付部を介して容器本体に取り付けるようにすることができる。
【発明の効果】
【００１４】
本発明の液体揮散具によれば、揮散体装着用中蓋に、容器本体の口部を密封する封緘材の上方で、揮散体の浸漬部を折り畳んで収容する揮散体収納空間を設け、液体揮散具の使用時に、封緘材を取り外し、揮散体収納空間に収容するようにしていた揮散体の浸漬部を伸ばして容器本体に貯留された液体に浸漬するようにすることにより、液体揮散具の容器本体に貯留された液体を吸い上げて揮散させる揮散体が液体に浸漬されていない状態で販売される方式の液体揮散具を、コンパクトに構成することができ、また、ユーザーが揮散体装着用中蓋の揮散体収納空間に折り畳んで収容されている揮散体の浸漬部を伸ばして容器本体に貯留された液体に浸漬することで液体揮散具を容易に使用状態にすることができる。
【００１５】
また、例えば、袋入りの詰替用の液体を合わせて揮散体の浸漬部を折り畳んで収容した交換用揮散体装着用中蓋を販売することによって、交換用揮散体装着用中蓋の揮散体の浸漬部を伸ばして交換用揮散体装着用中蓋を容器本体に取り付けることにより、容器本体に貯留された液体が揮散した使用済の容器本体及びカバーの再使用が可能となり、資源のリユースに寄与することができる。
【００１６】
また、揮散体装着用中蓋を、容器本体への第１取付部と、該第１取付部に着脱可能な第２取付部を備えた揮散体装着部とで構成することにより、ユーザーが液体揮散具を一層容易に使用状態にすることができる。
【００１７】
また、揮散体装着用中蓋の揮散体装着部を、前記第２取付部と、該第２取付部にヒンジ部を介して開口可能に設けられ、揮散体の浸漬部と一体の揮散体の揮散部を保持する蓋部とで構成し、前記第２取付部を水平に区画する区画壁を形成し、該区画壁の上に、揮散体の浸漬部と揮散部とを接続する接続部に接するように第２揮散体を配設するとともに、区画壁の下に液体揮散具の使用時に容器本体に貯留された液体に浸漬される揮散体の浸漬部を折り畳んで収容するようにすることにより、液体の揮散状態を容易に制御することができるとともに、揮散体に目詰まりが生じることを防止することができる。
【００１８】
また、例えば、袋入りの詰替用の液体を合わせて揮散体の浸漬部を折り畳んで収容した交換用揮散体装着部を販売することによって、交換用揮散体装着部の揮散体の浸漬部を伸ばして第１取付部を介して交換用揮散体装着部を容器本体に取り付けることにより、容器本体に貯留された液体が揮散した使用済の容器本体、第１取付部及びカバーの再使用が可能となり、資源のリユースに寄与することができる。
【図面の簡単な説明】
【００１９】
【図１】本発明の液体揮散具の第１実施例を示す一部を切り欠いた正面断面図である。
【図２】同液体揮散具の揮散体を示し、（ａ）は平面図、（ｂ）は正面図、（ｃ）は浸漬部を折り畳んだ状態の正面図である。
【図３】同液体揮散具の揮散体装着用中蓋を示し、（ａ）は正面図、（ｂ）は平面図、（ｃ）は（ｂ）のＸ−Ｘ断面図、（ｄ）は（ｃ）のＹ−Ｙ断面図である。
【図４】同液体揮散具の揮散体装着用中蓋に揮散体を収容する手順を示し、（ａ）は浸漬部を区画壁の孔部に挿入した状態を、（ｂ）は（ａ）を平面視した状態を、（ｃ）は揮散体を揮散体収納空間に収容した状態を、（ｄ）は浸漬部を折り畳んで浸漬部収納空間に収容した状態を、（ｅ）は（ｄ）を平面視した状態を示す。
【図５】同液体揮散具を使用する際の手順を示す概略図である。
【図６】本発明の液体揮散具の第２実施例を示す一部を切り欠いた正面断面図である。
【図７】同液体揮散具の使用状態を示す一部を切り欠いた正面断面図である。
【図８】同液体揮散具に使用する揮散体装着用中蓋の揮散体装着部を示し、（ａ）は平面図、（ｂ）は正面図、（ｃ）は（ａ）のＺ−Ｚ断面図、（ｄ）はヒンジ部の拡大図、（ｅ）は蓋部を揺動させた状態を示す拡大図である。
【発明を実施するための形態】
【００２０】
以下、本発明の液体揮散具の実施の形態を、図面に基づいて説明する。
【実施例１】
【００２１】
図１〜図５に、本発明の液体揮散具の第１実施例を示す。
この液体揮散具１は、液体を貯留するための容器本体４と、容器本体４に貯留された液体を吸い上げて揮散させる揮散体２と、揮散体２を容器本体４に装着するための揮散体装着用中蓋３と、容器本体４を覆うカバー６とを備えた液体揮散具において、揮散体装着用中蓋３に、容器本体４の口部４０を密封する封緘材５の上方で、揮散体２の浸漬部２１及び接続部２２を折り畳んで収容する揮散体収納空間３３を設け、液体揮散具１の使用時に、封緘材５を取り外し、揮散体収納空間３３に収容するようにしていた揮散体２の浸漬部２１を伸ばして容器本体４に貯留された液体に浸漬するようにした、揮散体２が液体に浸漬されていない状態で販売される方式の液体揮散具である。
【００２２】
揮散体２は、略正方形の揮散部２０と、揮散部２０より細幅に形成された容器本体４に貯留された液体に浸漬される揮散体の浸漬部２１と、浸漬部２１と同形状に形成された接続部２２とからなる一体構造としている。
浸漬部２１の長さは、伸ばしたときに、少なくとも、容器本体４の底面近傍に到達する長さを有し、折り畳んだ際に、２つ折り程度で揮散体装着用中蓋３に形成した揮散体収納空間３３に収容できるように設定している。
揮散体２の構成材料は、浸漬部２１及び接続部２２を介して、容器本体４に貯留された液体を毛細管現象で吸い上げ、揮散部２０において、吸い上げた液体を揮散させることができる公知の材料、例えば、不織布、ろ紙、繊維束、連続気泡発泡体等を用いるようにしている。
【００２３】
揮散体装着用中蓋３は、容器本体４の口部４０に取り付けられるとともに、揮散部２０を保持し、浸漬部２１を折り畳んだ状態で揮散体収納空間３３に収容することができる構造であれば、その構成は特に限定されるものではないが、本実施例においては、図３に示すように、容器本体４の口部４０に取り付けるための取付部３Ｂと、揮散体２を保持、収容する揮散体装着部３Ａとから構成するようにしている。
【００２４】
取付部３Ｂは、容器本体４の口部４０の周面に形成した雄ねじ部４１に螺合することができる雌ねじ部３０を内周面に形成するとともに、外周面に取り付け時の滑りを防止するためのローレットを形成した円筒形状としている。
揮散体装着部３Ａは、取付部３Ｂの上方に一体に形成され、区画壁３１によって水平に区画し、区画された上部の開放した空間を揮散部配設空間３２とし、下部の空間を揮散体収納空間３３とするようにしている。
そして、区画壁３１には、揮散体２の浸漬部２１及び接続部２２が通過可能な開口幅の孔部３１ａを形成する。
孔部３１ａの形成箇所は、図３〜図４に示すように、揮散部配設空間３２に揮散部２０を配設したときに、揮散体２の浸漬部２１及び接続部２２が位置する箇所（本実施例では、略正方形となる区画壁３１のいずれか１辺の中央部）に形成する。
また、揮散体装着部３Ａの揮散部配設空間３２の開放した上面には、各辺に爪部３４を形成し、揮散部配設空間３２の開放した上面側から揮散体２の揮散部２０を変形させながら取り付けることができるようにするとともに、揮散部配設空間３２に配設した揮散体２の揮散部２０が離脱することを防止するようにしている。
【００２５】
区画壁３１には、孔部３１ａのほかに、揮散部２０に吸い上げられた液体が過剰となった場合に、揮散部２０から漏れ出す液体を容器本体４内に戻すための開口部３１ｂを形成する。
開口部３１ｂは、揮散部２０から漏れ出した液体が容器本体４に戻るように形成すれば、その数や形状は、特に限定されるものではないが、本実施例においては、図３に示すように、４隅から中央に向かって略矩形状に４箇所に形成するようにしている。
また、区画壁３１の上面に、揮散部配設空間３２側に向かって突出した針状の突起部３１ｃを形成し、揮散部配設空間３２に配設された揮散部２０を固定するようにしている。
突起部３１ｃの配設数は、特に限定されるものではないが、本実施例においては、４箇所配設した例を示す。
【００２６】
容器本体４は、合成樹脂又はガラス製のものからなり、口部４０に揮散体装着用中蓋３が取り付けられる構造であれば、特にその構成を限定されるものではなく、本実施例においては、口部４０の周面に形成した雄ねじ部４１に、揮散体装着用中蓋３の取付部３Ｂに形成した雌ねじ部３０を螺合し、揮散体装着用中蓋３が取り付けられるようにしている。
また、容器本体４の口部４０は、販売時には、シール材や中蓋等からなる封緘材５によって密封するようにし、ユーザーが使用時に封緘材５を取り外し、揮散体装着用中蓋３の揮散体収納空間３３に収容されている揮散体２の折り畳まれた浸漬部２１を伸ばして、容器本体４の液体に浸漬させながら、揮散体装着用中蓋３を容器本体４に取り付けるようにする。
これにより、長期間の保存に対応できるとともに、移送等の際に容器本体４に貯留した液体が漏れ出すことを防止することができる。
【００２７】
容器本体４に取り付けるカバー６は、容器本体４の周方向に形成した溝部４２に嵌合する周上突起部６ａを内周面に形成し、液体揮散具１の使用時において、揮散体２の揮散部２０から揮散する液体の成分が室内に放たれるように、表面に拡散口６ｂを開口するようにしている。
カバー６は、液体揮散具１の使用時において、最も人目につく部分となるため、意匠上見栄えのよい材質や形状とする。
【００２８】
次に、揮散体２を揮散体装着用中蓋３に取り付ける手順を、図４に基づいて説明する。
まず、図４（ａ）及び（ｂ）に示すように、揮散体２の浸漬部２１及び接続部２２を、揮散部２０から伸ばした状態にして、孔部３１ａの上部の爪部３４をかわしながら、区画壁３１に開口した孔部３１ａを通過させる。
そして、浸漬部２１及び接続部２２が孔部３１ａを通過し、揮散部２０が揮散体装着部３Ａの揮散部配設空間３２の開放した上面の各辺に形成した爪部３４を越えることによって、図４（ｃ）に示すように、揮散部２０が揮散部配設空間３２に配設され、突起部３１ｃによって固定される。
この状態で、図４（ｄ）及び（ｅ）に示すように、孔部３１ａから垂れ下がった浸漬部２１及び接続部２２を折り畳み、折り畳んだ状態の浸漬部２１及び接続部２２を揮散体収納空間３３に収容する。
【００２９】
この液体揮散具１は、図１に示すように、容器本体４の口部４０を封緘材５によって密封し、揮散体２の揮散部２０を揮散部配設空間３２に配設するとともに、浸漬部２１及び接続部２２を揮散体収納空間３３に折り畳んだ状態で収容した揮散体装着用中蓋３を、揮散体装着用中蓋３の雌ねじ部３０を容器本体４の口部４０の雄ねじ部４１に螺合することにより取り付け、容器本体４の周方向に形成した溝部４２に嵌合する周上突起部６ａを内周面に形成したカバー６を取り付けた状態で流通させる。
このとき、容器本体４の口部４０は封緘材５によって密封されているから、雌ねじ部３０及び雄ねじ部４１のねじ精度を高める必要がない。
【００３０】
そして、使用時には、ユーザーが、カバー６を容器本体４から取り外し、図５に示すように、容器本体４の口部４０から取り外した揮散体装着用中蓋３の揮散体収納空間３３から揮散体２の浸漬部２１及び接続部２２を引き出すとともに、容器本体４の口部４０を封緘する封緘材５を取り外す。
その後、揮散体２の折り畳まれた浸漬部２１を伸ばして、容器本体４の液体に浸漬させながら、揮散体装着用中蓋３を容器本体４に取り付け、容器本体４にカバー６を取り付けて使用に供するようにする。
【００３１】
ところで、この液体揮散具１は、例えば、袋入りの詰替用の液体を合わせて揮散体の浸漬部及び接続部を折り畳んで収容した交換用揮散体装着用中蓋（揮散体装着用中蓋３と同形状のもの（図示省略））を販売することができる。
これによって、交換用揮散体装着用中蓋の揮散体の浸漬部を伸ばして容器本体４に取り付けることにより、容器本体４に貯留された液体が揮散した使用済の容器本体４及びカバー６の再使用が可能となり、資源のリユースに寄与することができる。
【実施例２】
【００３２】
図６〜図８に、本発明の液体揮散具の第２実施例を示す。
この液体揮散具１は、揮散体装着用中蓋３を、容器本体への第１取付部３Ｂ１と、第１取付部３Ｂ１に着脱可能な第２取付部３Ｂ２を備えた揮散体装着部３Ａとで構成したもので、より具体的には、揮散体装着用中蓋３の揮散体装着部３Ａを、第２取付部３Ｂ２と、第２取付部３Ｂ２にヒンジ部Ｈを介して開口可能に設けられ、揮散体２の浸漬部２１と接続部２２を介して一体構造とした揮散体２の揮散部２０を保持する蓋部７とで構成し、第２取付部３Ｂ２を水平に区画する区画壁３１を形成し、区画壁３１の上に、揮散体２の浸漬部２１と揮散部２０とを接続する接続部２２に接するように第２揮散体２３を配設するとともに、区画壁３１の下に、容器本体４の口部４０を密封する封緘材５の上方で、揮散体２の浸漬部２１及び接続部２２を折り畳んで収容するようにしている。
【００３３】
揮散体２は、略正方形の揮散部２０及び第２揮散体２３と、揮散部２０より細幅に形成された容器本体４に貯留された液体に浸漬される揮散体の浸漬部２１と、浸漬部２１と同形状に形成された接続部２２とからなる一体構造としている。
揮散体２の構成材料は、第１実施例と同様、公知の材料、例えば、不織布、ろ紙、繊維束、連続気泡発泡体等を用いるようにしている。
【００３４】
第１取付部３Ｂ１は、第１実施例と同様、容器本体４の口部４０の周面に形成した雄ねじ部４１に螺合する雌ねじ部３０を内周面に形成するとともに、外周面に取り付け時の滑りを防止するためのローレットを形成した円筒形状とし、上部に揮散体装着部３Ａを取り付けるための係合部３７ａを外面に形成した矩形の外周枠３７を備える。
【００３５】
揮散体装着部３Ａの第２取付部３Ｂ２は、矩形の枠構造とし、内部を区画壁３１によって、第２揮散体２３の揮散部配設空間３２及び揮散体収納空間３３に区画する。
この区画壁３１には、第１実施例と同様に、揮散部２０及び第２揮散体２３から漏れ出す液体を容器本体４内に戻すための開口部３１ｂを形成するとともに、浸漬部２１に一部を当接させて揮散部配設空間３２に収容する第２揮散体２３を引っ掛けるようにして固定する爪部３２Ａを形成するようにしている。
第２揮散体２３は、開口部３１ｂを覆い、浸漬部２１が挿通される孔部３１ａを覆わない位置で固定し、揮散体２の浸漬部２１と揮散部２０とを接続する接続部２２に１辺が接するように配設することによって、浸漬部２１及び接続部２２を介して、容器本体４に貯留された液体を毛細管現象で吸い上げ、第２揮散体２３及び揮散部２０において、吸い上げた液体を揮散させることができるようにしている。
【００３６】
区画壁３１と共に揮散体収納空間３３を形成する下部外周枠３５は、第１取付部３Ｂ１の外周枠３７に形成した係合部３７ａと係合する突起部３５ａを形成し、図６に示すように上部から押し込むことによって、突起部３５ａに係合部３７ａが係合して揮散体装着部３Ａの第２取付部３Ｂ２が第１取付部３Ｂ１に取り付けられるようにしている。
また、区画壁３１と共に揮散部配設空間３２を形成する上部外周枠３６は、１辺を蓋部７との連結部３６ａとして、蓋部７の連結部７ａと連結し、両連結部３６ａ、７ａが折れ曲がるようにすることにより、蓋部７が揺動自在となるようにしている。
【００３７】
上部外周枠３６の連結部３６ａ及び蓋部７の連結部７ａは、揮散体装着用中蓋３の揮散体装着部３Ａに、蓋部７が揺動自在に連結されるようにするものであれば、特に限定するものではないが、本実施例においては、図８に示すように、揮散体装着部３Ａと蓋部７とを一体に成形し、両連結部３６ａ、７ａ同士の接合部が、薄肉のヒンジ部Ｈとなるようにしている。
より具体的には、揮散体装着部３Ａの上部外周枠３６の上面縁部と蓋部７の裏面部とが同一平面上となるように成形し、薄肉のヒンジ部Ｈは、外力が加わっていない状態では、上部外周枠３６の上面縁部と蓋部７の裏面部とが同一平面上に、外力を加えるとヒンジ部Ｈを基線として容易に１８０°折り畳まれて、上部外周枠３６の上面縁部と蓋部７の裏面部とが当接するように構成されている。
【００３８】
上部外周枠３６は、連結部３６ａを形成した辺の対辺に切欠部３６ｂを形成し、蓋部７の連結部７ａの対辺に形成した係合部材７０が切欠部３６ｂに係合するようにしている。
これによって、蓋部７が、揮散体装着部３Ａの開放した上面（揮散体装着用中蓋３の上部外周枠３６）を覆ったときに、切欠部３６ｂに係合部材７０が係合し、蓋部７が固定されるようにしている。
また、図８（ａ）に示すように、ヒンジ部Ｈの近傍の揮散体装着部３Ａに嵌合凹部３８を、ヒンジ部Ｈの近傍の蓋部７に嵌合凸部７３を形成し、嵌合凹部３８に嵌合凸部７３が嵌合することによって、蓋部７の揮散体装着部３Ａへの固定（蓋部７の開口角度の調節機構の機能を含む。）をより安定したものとすることができる。
なお、ヒンジ部Ｈを軸孔と枢軸で構成し、蓋部７の揺動角度を任意に調整する蓋部７の開口角度の調節機構（図示省略）を設けることもできる。
【００３９】
蓋部７は、矩形の上部外周枠３６を覆うように矩形に形成し、揮散体２の揮散部２０を保持するＬ字状の爪部７１を、連結部７ａを形成する辺以外の３辺に形成する。
また、蓋部７は、揮散体２の浸漬部２１を容器本体４に貯留された液体に浸漬することによって、蓋部７で揮散体装着部３Ａの第２取付部３Ｂ２の開放した上面を覆ったままの状態でも、浸漬部２１で吸い上げた芳香剤の香りや消臭材の消臭成分を周辺に拡散することができるように、開口部７２を形成するようにしている。
【００４０】
また、蓋部７には、蓋部７で揮散体装着部３Ａの開放した上面を覆ったときに、蓋部７が上部外周枠３６内に入り込まないようにするための、上部外周枠３６の高さと略同一高さのストッパ７４を形成するようにしている。
【００４１】
この液体揮散具１は、揮散体２の揮散部２０を蓋部７の爪部７１によって保持し、浸漬部２１及び接続部２２を、実施例１と同様の方法で、揮散体装着部３Ａの第２取付部３Ｂ２の揮散体収納空間３３に収容するとともに、第２揮散体２３を、区画壁３１の上に、揮散体２の浸漬部２１と揮散部２０とを接続する接続部２２に接するように配設する。
そして、蓋部７の係合部材７０を上部外周枠３６の切欠部３６ｂに係合させて、蓋部７で、揮散体装着部３Ａの第２取付部３Ｂ２の開放した上面を覆うようにする。
これにより、図６に示すように、揮散部２０と第２揮散体２３とは接した状態で収容されることとなる。
【００４２】
この液体揮散具１は、図６に示すように、容器本体４の口部４０を封緘材５によって密封し、揮散体２の揮散部２０を蓋部７に保持するとともに、浸漬部２１及び接続部２２を揮散体収納空間３３に折り畳んだ状態で収容し、さらに、第２揮散体２３を区画壁３１の上に配設した揮散体装着用中蓋３を、揮散体装着用中蓋３の第１取付部３Ｂ１の雌ねじ部３０を容器本体４の口部４０の雄ねじ部４１に螺合することにより取り付け、容器本体４の周方向に形成した溝部４２に嵌合する周上突起部６ａを内周面に形成したカバー６を取り付けた状態で流通させる。
このとき、容器本体４の口部４０は封緘材５によって密封されているから、雌ねじ部３０及び雄ねじ部４１のねじ精度を高める必要がない。
【００４３】
そして、使用時には、ユーザーが、カバー６を容器本体４から取り外すとともに、容器本体４の口部４０から揮散体装着用中蓋３を取り外す。そして、取り外した揮散体装着用中蓋３の揮散体装着部３Ａの第２取付部３Ｂ２の揮散体収納空間３３から揮散体２の浸漬部２１及び接続部２２を引き出すとともに、容器本体４の口部４０を封緘する封緘材５を取り外す。
その後、揮散体装着用中蓋３の第１取付部３Ｂ１を容器本体４に固定し、次に、揮散体２の折り畳まれた浸漬部２１を伸ばして、容器本体４の液体に浸漬させながら、揮散体装着用中蓋３の第２取付部３Ｂ２を第１取付部３Ｂ１を介して容器本体４に取り付け、容器本体４にカバー６を取り付けて使用に供するようにする。
このとき、芳香剤の香りや消臭材の消臭成分を、通常よりも多く周辺に拡散したい場合には、図７に示すように、蓋部７の係合部材７０による上部外周枠３６の切欠部３６ｂへの係合及び嵌合凸部７３による嵌合凹部３８への嵌合を解除する。
これによって、カバー６の内面と蓋部７の縁部が当接するまで揺動し、揮散部２０は、蓋部７の揺動に伴って揺動し、浸漬部２１で吸い上げた芳香剤の香りや消臭材の消臭成分を揮散部２０の両面を使ってより効率的に周辺に拡散させることができる。
また、蓋部７が揺動することによって第２揮散体２３の上面が露出することとなり、浸漬部２１で吸い上げた芳香剤の香りや消臭材の消臭成分を第２揮散体２３を使ってより効率的に周辺に拡散させることができる。
【００４４】
ところで、この液体揮散具１は、例えば、袋入りの詰替用の液体を合わせて揮散体の浸漬部及び接続部を折り畳んで収容した交換用揮散体装着部（揮散体装着部４Ａと同形状のもの（図示省略））を販売することができる。
これによって、交換用揮散体装着部の揮散体の浸漬部を伸ばして第１取付部３Ｂ１を介して交換用揮散体装着部を容器本体４に取り付けることにより、容器本体４に貯留された液体が揮散した使用済の容器本体４、第１取付部３Ｂ１及びカバー６の再使用が可能となり、資源のリユースに寄与することができる。
【００４５】
なお、本実施例のその他の構成及び作用は、上記第１実施例と同様である。
【００４６】
以上、本発明の液体揮散具について、複数の実施例に基づいて説明したが、本発明は上記実施例に記載した構成に限定されるものではなく、その趣旨を逸脱しない範囲において適宜その構成を変更することができるものである。
【産業上の利用可能性】
【００４７】
本発明の液体揮散具は、コンパクトな形状で、かつ、ユーザーが揮散体の取り扱いを容易に行うことができるという特性を有していることから、揮散体が液体に浸漬されていない状態で販売される方式の液体揮散具の用途に用いることができる。
また、適用対象も、芳香剤のほか、消臭材等、拡散性の液体を揮散させるために用いられる液体揮散具の用途に広く用いることができる。
【符号の説明】
【００４８】
１    液体揮散具
２    揮散体
２０  揮散部
２１  浸漬部
２２  接続部
２３  第２揮散体
３    揮散体装着用中蓋
３Ａ  揮散体装着部
３Ｂ  取付部
３Ｂ１  第１取付部
３Ｂ２  第２取付部
３１  区画壁
３１ａ  孔部
３２  揮散部配設空間
３３  揮散体収納空間
４    容器本体
４０  口部
５    封緘材
６    カバー
７    蓋部
Ｈ    ヒンジ部
【図１】
0005675252.tif 000002
【図２】
0005675252.tif 000003
【図３】
0005675252.tif 000004
【図４】
0005675252.tif 000005
【図５】
0005675252.tif 000006
【図６】
0005675252.tif 000007
【図７】
0005675252.tif 000008
【図８】
0005675252.tif 000009